(57)【要約】【課題】ページの複数枚捲りを確実に防止し、ページの膨らましおよび跳ね上げ動作が確実にできるページ捲り装置を提供する。【解決手段】ページ捲り装置において、可動パネル７０は、ページ１aが跳ね上がるとき、捲りローラ２３の回転によってページ１aより退避する位置に移動することによって、ページ１aの跳ね上げが確実にできるようになり、ページ捲りの信頼性が向上する。【選択図】図２
2005212407.tif 000002
【特許請求の範囲】
【請求項１】
複数枚が中綴じされた紙葉類を搬送する搬送手段と、
前記紙葉類を前記搬送路の捲り領域に保持するクランプ手段と、
前記搬送路上の所定位置に設けられ、一方向に回転して前記紙葉類の表紙または中紙ページを膨らませた後、跳ね上げ、他方向に回転して前記表紙または中紙ページを反転させることで、前記表紙または中紙ページを捲り上げる捲りローラと、
前記表紙または中紙ページの膨らみに追従して変位し、前記表紙または中紙ページの膨らみ量を検出するための可動パネルとを備え、
前記可動パネルは、前記表紙または中紙ページが跳ね上がるとき、前記捲りローラの回転によって前記表紙または中紙ページより退避する位置に移動することを特徴とするページ捲り装置。
【請求項２】
前記捲りローラの回転は、歯車に伝動され、前記歯車の偏心位置には、前記可動パネルを前記表紙または中紙ページより退避する位置まで押し上げる突起が設けられたことを特徴とする請求項１に記載のページ捲り装置。
【請求項３】
前記複数枚が中綴じされた紙葉類を搬送する搬送手段と、
前記紙葉類を前記搬送路の捲り領域に保持するクランプ手段と、
前記搬送路上の所定位置に設けられ、一方向に回転して前記紙葉類の表紙または中紙ページを膨らませた後、跳ね上げ、他方向に回転して前記表紙または中紙ページを反転させることで、前記表紙または中紙ページを捲り上げる捲りローラと、
前記表紙または中紙ページの膨らみに追従して変位し、前記表紙または中紙ページの膨らみ量を検出するための可動パネルとを備え、
前記捲りローラの周方向に、前記表紙または中紙ページを膨らます膨らまし部と、前記表紙または中紙ページを跳ね上げる跳ね上げ部とが所定間隔をおいて形成され、これら膨らまし部および跳ね上げ部は、前記捲りローラの半径方向に突出する円弧形状に形成されたことを特徴とするページ捲り装置。
【請求項４】
前記捲りローラに、前記跳ね上げ部によって跳ね上げられる途中の前記表紙または中紙ページの先端が前記跳ね上げ部から外れたときに、これを係止する係止部が設けられたことを特徴とする請求項３に記載のページ捲り装置。
【請求項５】
前記係止部には、前記表紙または中紙ページの先端が係合する溝が形成されたことを特徴とする請求項４に記載のページ捲り装置。
【請求項６】
前記捲りローラには、前記紙葉類の搬送を案内するガイドが設けられたことを特徴とする請求項１〜５のいずれかに記載のページ捲り装置。
【請求項７】
前記紙葉類は、通帳であることを特徴とする請求項１〜６のいずれかに記載のページ捲り装置。
【発明の詳細な説明】
【技術分野】
【０００１】
本発明は、重ねられた紙葉類の捲り動作を行なうページ捲り装置に関し、特に、銀行等で使用される通帳の表紙または中紙ページを捲るページ捲り装置に関する。
【背景技術】
【０００２】
一般に、銀行等の金融機関では、ＡＴＭ（自動預金支払機）や自動記帳機等が利用されており、このようなＡＴＭ（自動預金支払機）や自動記帳機は、取引結果を通帳に印字する通帳プリンタを有している。そして、このような通帳プリンタには、通帳の表紙または中紙ページ（以下、単にページという）が印字により満了したときに、次ページを自動的に捲るページ捲り装置が設けられ、印字満了時におけるページの捲り動作が自動的に行なえるようになっている。
【０００３】
従来、この種のページ捲り装置としては、たとえば、図９に示されるものがある。
図９において、通帳１は、円筒形状の捲りローラ５と下送りローラ２とに挟まれ、かつ下送りローラ３と上送りローラ４に挟まれた状態で搬送される。下送りローラ２と下送りローラ３とは、通帳１の一方のページ長さに略相当する間隔をおいて配設されている。下送りローラ２は、図示しない上下動機構によって上下動し、捲りローラ５は、通帳１のページ捲りおよび搬送の機能を有する。
【０００４】
前記下送りローラ２と３の間には、通帳１のページ１ａを上方に押し上げ湾曲させるプレッシャ９が設けられている。上送りローラ４と捲りローラ５の間には、通帳１の搬送を案内し、かつ通帳１のページ１ａの膨らみ量を検出するための可動パネル８が設けられている。可動パネル８は、一端を中心として回動する腕７に回動自在に取り付けられることによって、ページ１ａの膨らみおよび跳ね上げに追従して変位するようになっている。
また、捲りローラ５の上半分には、捲りローラ５より外側に膨出し、跳ね上げられたページ１ａが捲りローラ５に接触し、捲りローラ５による不本意なページ１ａの巻き込みを防止する巻き込み防止部材６が設けられている。
【０００５】
かかるページ捲り装置において、ページ１ａを捲る場合は、まず、通帳１を搬送路の捲り領域に搬送した後、通帳１をロックして、捲り位置に保持する（図９a参照）。次に、下送りローラ２を下方に退避した後、通帳１をプレッシャ９によって押し上げ、通帳１を湾曲させる。
【０００６】
この状態で、捲りローラを一方向に回転させ、通帳１のページ１ａを、捲りローラ５との摩擦により膨らます。このとき、可動パネル８は、ページ１ａの膨らみにつれて、押し上げられ、ページ１ａの膨らみ量が検出される（図９ｂ参照）。ページ１ａの膨らみが最高位置に達したと判定されると、プレッシャ９が下降する。
【０００７】
その後、ページ１ａとページ１ｂとが分離し、ページ１ａだけが、膨らみ状態を維持し、ページ１ｂは、平らになる（図９ｃ参照）。そして、捲りローラ５をさらに回転させ、ページ１ａを捲りローラ５の上方に跳ね上げる（図９ｄ参照）。
【０００８】
次に、下送りローラ２を元の位置に復帰させるとともに、ローラのロックを解除した後、捲りローラ５を他方向に回転することで、通帳１を、最初に搬送した方向とは逆方向、即ち引き抜き方向に搬送してページ１ａを反転させる。これによって、捲りローラ５によって反転され、ページ１ａが捲り上げられる（図９e参照）。通帳１を引き抜く際、跳ね上げたページ１ａは、巻き込み防止部材６に接触し、捲りローラ５には接触しないので、ページ１ａの巻き込みはない（図９ｄ参照）。
【０００９】
以上、説明した従来技術は、以下に示す特許文献１〜３に開示されている。
【特許文献１】特開２００１−２０５９５８号公報
【特許文献２】特開２００２−２１９８８６号公報
【特許文献３】特開昭５７−１３１５９８号公報
【発明の開示】
【発明が解決しようとする課題】
【００１０】
しかしながら、前記ページ捲り装置では、捲りローラ５が円筒形状であるため、ページ１ａの膨らましから跳ね上げまで、ページ１ａだけでなくページ１ｂも接触した状態となり、本来捲るべきページ１ａ以外のページ１ｂも同時に捲り上げてしまうという事情がある。
【００１１】
また、巻き込み防止部材６は、ページ１ａの膨らましおよび跳ね上げの妨げにならないような形状が要求され、従って複雑な形状になるため、製造が面倒でコスト高になるという事情がある。
【００１２】
また、捲りローラ５の摩耗や汚れによって、ページ１ａとの摩擦力が低下し、膨らまし力や跳ね上げ力が低下すると、巻き上げ防止部材６が膨らましおよび跳ね上げの妨げになり、安定した捲り品質が期待できないという事情がある。
【００１３】
また、ページ１ａを跳ね上げる際、ページ１ａには可動パネル８の負荷がかかっているため、捲りローラ５の摩擦力が低下すると、可動パネル８の負荷が跳ね上げ動作の妨げになり、跳ね上げ不良が発生するという事情がある。
【００１４】
本発明の技術的課題は、前記のような事情に鑑みてなされたものであり、その目的は、ページの複数枚捲りを確実に防止し、ページの膨らましおよび跳ね上げ動作が確実にできるページ捲り装置を提供することにある。
【００１５】
なお、本発明の前記ならびにその他の目的と新規な特徴は、本明細書の記述および添付図面から明らかになるであろう。
【課題を解決するための手段】
【００１６】
前記目的を達成するため、本発明は、複数枚が中綴じされた紙葉類を搬送する搬送手段と、前記紙葉類を前記搬送路の捲り領域に保持するクランプ手段と、前記搬送路上の所定位置に設けられ、一方向に回転して前記紙葉類の表紙または中紙ページを膨らませた後、跳ね上げ、他方向に回転して前記表紙または中紙ページを反転させることで、前記表紙または中紙ページを捲り上げる捲りローラと、前記表紙または中紙ページの膨らみ量を検出するため、これに追従して変位する可動パネルとを有するページ捲り装置において、前記可動パネルは、前記表紙または中紙ページが跳ね上がるとき、前記捲りローラの回転によって前記表紙または中紙ページより退避する位置に移動することを特徴とするものである。
【００１７】
このような構成によれば、前記表紙または中紙ページが跳ね上げるとき、ページに可動パネルの自重等の負荷がかからないので、ページと捲りローラとの摩擦力が低下しても、ページは確実に跳ね上げられ、ページ捲りの信頼性が向上する。
【００１８】
また、前記捲りローラの回転が、歯車に伝動され、前記歯車の偏心位置には、前記可動パネルを前記表紙または中紙ページより退避する位置まで押し上げる突起が設けられるのが好ましい。
【００１９】
また、本発明は、前記複数枚が中綴じされた紙葉類を搬送する搬送手段と、前記紙葉類を前記搬送路の捲り領域に保持するクランプ手段と、前記搬送路上の所定位置に設けられ、一方向に回転して前記紙葉類の表紙または中紙ページを膨らませた後、跳ね上げ、他方向に回転して前記表紙または中紙ページを反転させることで、前記表紙または中紙ページを捲り上げる捲りローラと、前記表紙または中紙ページの膨らみ量を検出するため、これに追従して変位する可動パネルとを有するページ捲り装置において、前記捲りローラの周方向に、前記表紙または中紙ページを膨らます膨らまし部と、前記表紙または中紙ページを跳ね上げる跳ね上げ部とが所定間隔をおいて形成され、これら膨らまし部および跳ね上げ部は、前記捲りローラの半径方向に突出する円弧形状に形成されてなることを特徴とするものである。
【００２０】
このような構成によれば、複数ページの跳ね上げが防止でき、ページ捲りの品質が向上する。
また、前記捲りローラに、前記跳ね上げ部によって跳ね上げられる途中の前記表紙または中紙ページの先端が前記跳ね上げ部から外れたときに、これを係止する係止部が設けられるのが好ましく、これによって、跳ね上げ後のページが係止部に係止するので、紙葉類を引き抜く際の捲りローラによるページ巻き込みが回避される。
【００２１】
また、前記係止部に、前記表紙または中紙ページの先端が係合する溝が形成されるのが好ましい。これにより、ページ巻き込みがより確実に回避される。
また、前記捲りローラに、前記紙葉類の搬送を案内するガイドが設けられるのが好ましい。
【００２２】
また、前記紙葉類は、通帳であることが好ましい。
【発明の効果】
【００２３】
以上のように本発明によれば、表紙または中紙ページが跳ね上がるとき、可動パネルが、捲りローラの回転によって、前記ページより退避する位置に移動するように構成されたので、ページの跳ね上げが、可動パネルの負荷をうけることなく行なわれ、捲りローラの摩擦力が低下しても、ページ捲りを確実に行なうことができる。
【００２４】
また、捲りローラの周方向に、ページの膨らまし部と、跳ね上げ部とが所定間隔をおいて形成されたので、ページの膨らましおよび跳ね上げ動作が確実になり、ページの複数枚捲りを防止することもできる。
【００２５】
また、捲りローラに、ページの先端を係止する係止部が設けられたので、ページの先端が係止部に係止されると、紙葉類を引き抜く際の捲りローラによるページ巻き込みを確実に防止することができる。
【発明を実施するための最良の形態】
【００２６】
以下、本発明の実施の形態を図面に基づいて、従来例と同一の構成部材には同じ符号を付して詳細に説明する。
図１は、本発明に係るページ捲り装置の一実施の形態を示す概略斜視図である。
【００２７】
図１に示すページ捲り装置１０は、断面コ字状の枠体１１に、通帳１の捲り動作を行なう捲りユニット２０と、この捲りユニット２０を駆動するための第１モータ３０と、通帳１を搬送する搬送ローラ５１（図６参照）を有する搬送ユニット５０と、複数のゴム材６１を有し、通帳１を搬送路の捲り領域でロックするためのクランプ手段６０と、一端７１（図６参照）を中心として回動し、通帳１のページ１ａの膨らみ量を検出するための可動パネル７０と、捲りユニット２０の回転力を可動パネル７０に伝動するための第１動力伝達手段４０と、搬送ユニット５０の上下動やクランプ手段６０等の機械的な動作を行なうための第２モータ８０と、第２モータ８０の駆動力を搬送ユニット５０およびクランプ手段６０に伝動する第２動力伝達手段９０とが組み付けられている。
【００２８】
前記第１動力伝達手段４０は、図２に示すように、捲りユニット２０の軸２１の外端に小径の歯車４３が固定され、この歯車４３は、大径の歯車４１に所定のギア比で噛合されている。前記歯車４１の偏心位置には、可動パネル７０に係合する突起４２が設けられ、可動パネル７０は、前記突起４２によって上方へ押し上げられるようになっている。
【００２９】
前記捲りユニット２０は、図３に示すように、交互に配列された複数の捲りローラ２３および複数の搬送ローラ２２を有し、前記捲りローラ２３は、軸２１に固定され、前記搬送ローラ２２は、軸２１周りを自由に回動するようになっている。
【００３０】
捲りローラ２３は、図４に示すように、その周方向にページ１ａを膨らます膨らまし部２３ａと、ページ１ａを跳ね上げる跳ね上げ部２３ｂとを有し、これら膨らまし部２３ａおよび跳ね上げ部２３ｂは、所定幅を有する溝２３ｄを隔てて、捲りローラ２３の半径方向に突出する円弧形状に形成されている。
【００３１】
前記膨らまし部２３ａおよび跳ね上げ部２３ｂの反対側には、通帳１の搬送面を構成し、通帳１の搬送を案内する樹脂製のガイド２３ｃが設けられ、このガイド２３ｃの一端には、跳ね上げ部２３ｂによって跳ね上げられる途中のページ１ａの先端が跳ね上げ部２３ｂから外れたときに、これを係止する係止部２３ｅが設けられ、係止部２３ｅには、ページ１ａの先端が係合する溝２３ｆが形成されている。
【００３２】
次に、かかる構成のページ捲り装置１０の動作を、図５〜図８を参照して説明する。
まず、ステップＳ１において、通帳１は、搬送ローラ２２と搬送ローラ５１との間に挟まれ、搬送ローラ５１によって、搬送路の捲り位置まで搬送される。このとき、可動パネル７０は、ロックされ、通帳１の搬送を案内する（図６ａ、図７ａ参照）。その後、搬送ローラ５１が下方に退避し、通帳１は、クランプ手段６０によってロックされる。これによって、通帳１は、捲り位置に保持される。
【００３３】
ステップＳ２において、捲りローラ２３を一方向に回転させ、通帳１のページ１ａを、膨らまし部２３ａとの摩擦により膨らます（図７ｂ参照）。このとき、可動パネル７０は、ページ１ａの膨らみにつれて、押し上げられる。これによって、ページ１ａの膨らみ量が検出される（図６ｂ参照）。
【００３４】
その後、ステップＳ３において、ページ１ａとページ１ｂとが分離する。この場合、ページ１ａは膨らまし部２３ａに接触しているので、膨らみ状態を維持するが、ページ１ｂは、溝２３ｄに対応し、膨らまし部２３ａに接触しないので、膨らむことはない。従って、ページ１ｂは、自重によって落下し平らになる（図７ｃ参照）。
【００３５】
ステップＳ４において、捲りローラ２３をさらに回転させ、ページ１ａの端部を、跳ね上げ部２３ｂに引っ掛け捲りローラ２３の上方に跳ね上げる（図７ｄ、図７ｅ参照）。
ステップＳ５において、捲りローラ２３を跳ね上げる前の位置まで戻し（図７ｆ参照）、ステップＳ６において、二度目の跳ね上げを行なう（図７ｇ参照）。このとき、可動パネル７０は、ページ１ａより退避する。
【００３６】
これにより、ページ１ａは、可動パネル７０の自重等の負荷の影響をうけることなく、確実に跳ね上げられる。即ち、捲りローラ２３と突起４２とは、歯車４１、４３を介して連動し、可動パネル７０は、前記突起４２によって上方に押し上げられる（図６ｃ、図６ｄ参照）。この場合、可動パネル７０の回転量が、ページ１ａの跳ね上げ量より大きくなるように歯車４１、４３のギア比が設定されている。
【００３７】
次に、ステップＳ７において、搬送ローラ５１を元の位置に復帰させるとともに、クランプ手段６０を下降させ、通帳１のロックを解除した後、搬送ローラ５１を他方向に回転することで、通帳１を、引き抜き方向に搬送してページ１ａを反転させる（図７ｈ参照）。これによって、ページ１ａが捲り上げられる。通帳１を引き抜く際、跳ね上げたページ１ａの端が溝２３ｆに係合するため、ページ１ａを巻き込んだり、ページ１aを折ってしまうという不具合が回避される（図８参照）。
【００３８】
最後に、ステップＳ８において、捲りローラ２３を初期化する。
このように、本実施の形態では、捲りローラ２３の周方向に、ページ１ａの膨らまし部２３ａと、跳ね上げ部２３ｂとが所定間隔をおいて形成されたので、ページ１ａの膨らましおよび跳ね上げ動作が確実に行なえ、ページの複数枚捲りを防止することができ、捲りローラ２３の摩擦力の低下に左右されることなく、安定した捲り品質が得られる。
【００３９】
また、捲りローラ２３は、連続回転ではなく、１回転の動作でページ捲りを行なうことができるので、捲りローラ２３の摩耗・汚れの発生を最小限に抑えることができる。
また、捲りローラ２３では、膨らまし部２３ａおよび跳ね上げ部２３ｂが、円弧状に形成され、比較的簡単な構造であるため、製造が簡単にでき、コスト低減に有効である。
【００４０】
以上、本発明の実施の形態のページ捲り装置について詳述したが、本発明は、前記実施の形態記載のページ捲り装置に限定されるものではなく、本発明の特許請求の範囲に記載されている発明の精神を逸脱しない範囲で、設計において種々の変更ができるものである。
【００４１】
たとえば、前記実施の形態のページ捲り装置では、紙葉類として通帳１を用いたが、これ以外の冊子を用いてもよい。
【図面の簡単な説明】
【００４２】
【図１】本発明の一実施例に係るページ捲り装置の概略斜視図である。
【図２】図１に示すページ捲り装置におけるパネル退避機構の斜視図である。
【図３】図１に示すページ捲り装置におけるページ捲りユニットの斜視図である。
【図４】図３に示すページ捲りユニットにおけるページ捲りローラの側面図である。
【図５】図１に示すページ捲り装置の動作を示すフローチャートである。
【図６ａ】図２のパネル退避機構の動作を示す行程説明図（その１）である。
【図６ｂ】図２のパネル退避機構の動作を示す行程説明図（その２）である。
【図６ｃ】図２のパネル退避機構の動作を示す行程説明図（その３）である。
【図６ｄ】図２のパネル退避機構の動作を示す行程説明図（その４）である。
【図７ａ】ページ捲りの動作を示す行程説明図（その１）である。
【図７ｂ】ページ捲りの動作を示す行程説明図（その２）である。
【図７ｃ】ページ捲りの動作を示す行程説明図（その３）である。
【図７ｄ】ページ捲りの動作を示す行程説明図（その４）である。
【図７ｅ】ページ捲りの動作を示す行程説明図（その５）である。
【図７ｆ】ページ捲りの動作を示す行程説明図（その６）である。
【図７ｇ】ページ捲りの動作を示す行程説明図（その７）である。
【図７ｈ】ページ捲りの動作を示す行程説明図（その８）である。
【図８】ページ捲りローラのガイド溝の機能説明図である。
【図９ａ】従来のページ捲り装置の動作を示す行程説明図（その１）である。
【図９ｂ】従来のページ捲り装置の動作を示す行程説明図（その２）である。
【図９ｃ】従来のページ捲り装置の動作を示す行程説明図（その３）である。
【図９ｄ】従来のページ捲り装置の動作を示す行程説明図（その４）である。
【図９ｅ】従来のページ捲り装置の動作を示す行程説明図（その５）である。
【図９ｆ】従来のページ捲り装置の動作を示す行程説明図（その６）である。
【符号の説明】
【００４３】
１０  ページ捲り装置
２０  捲りユニット
２１  軸
２２  搬送ローラ
２３  捲りローラ
２３ａ  膨らまし部
２３ｂ  跳ね上げ部
２３ｃ  ガイド
２３ｄ、２３f  溝
２３ｅ  係止部
４１、４３  歯車
４２  突起
７０  可動パネル
【図１】
2005212407.tif 000003
【図２】
2005212407.tif 000004
【図３】
2005212407.tif 000005
【図４】
2005212407.tif 000006
【図５】
2005212407.tif 000007
【図６ａ】
2005212407.tif 000008
【図６ｂ】
2005212407.tif 000009
【図６ｃ】
2005212407.tif 000010
【図６ｄ】
2005212407.tif 000011
【図７ａ】
2005212407.tif 000012
【図７ｂ】
2005212407.tif 000013
【図７ｃ】
2005212407.tif 000014
【図７ｄ】
2005212407.tif 000015
【図７ｅ】
2005212407.tif 000016
【図７ｆ】
2005212407.tif 000017
【図７ｇ】
2005212407.tif 000018
【図７ｈ】
2005212407.tif 000019
【図８】
2005212407.tif 000020
【図９ａ】
2005212407.tif 000021
【図９ｂ】
2005212407.tif 000022
【図９ｃ】
2005212407.tif 000023
【図９ｄ】
2005212407.tif 000024
【図９ｅ】
2005212407.tif 000025
【図９ｆ】
2005212407.tif 000026